(57)【要約】【課題】折曲げ半径に依存しない折り返し配線を可能にする。【解決手段】ケーブル本体（４）を折り返す折返し部（４−３）と、該折返し部で折り返される少なくとも一対の配線（配線パターン６−１１、６−１２、６−１３、６−１４、６−２１、６−２２、６−２３、６−２４）に形成された接点部（１０−１１、１０−１２、１０−１３、１０−１４、１０−２１、１０−２２、１０−２３、１０−２４）と、該接点部で接続された少なくとも一対の折返し配線（折返し接続部１２、配線パターン６−１１、６−１２、６−１３、６−１４、６−２１、６−２２、６−２３、６−２４）とが提供される。【選択図】図１
2014110112.tif 000002
【特許請求の範囲】
【請求項１】
フレキシブルケーブルを備える電子機器であって、
ケーブル本体を折り返す折返し部と、
前記折返し部で折り返される少なくとも一対の配線に形成された接点部と、
前記接点部で接続された少なくとも一対の前記配線からなる折返し配線と、
を備えることを特徴とする電子機器。
【請求項２】
フレキシブルケーブルを備える電子機器であって、
ケーブル本体を折り返す折返し部と、
前記折返し部で折り返されて対向する複数対の配線と、
前記配線に形成された接点部と、
前記接点部で接続されて折返し前後で配線位置を異ならせた複数対の折返し配線と、
を備えることを特徴とする電子機器。
【請求項３】
ケーブル本体を折り返す折返し部と、
前記折返し部で折り返される少なくとも一対の配線に形成された接点部と、
前記接点部で接続された少なくとも一対の折返し配線と、
を備えることを特徴とするフレキシブルケーブル。
【請求項４】
ケーブル本体を折り返す折返し部と、
前記折返し部で折り返されて対向する複数対の配線と、
前記配線に形成された接点部と、
前記接点部で接続されて折返し前後で配線位置を異ならせた複数対の配線からなる折返し配線と、
を備えることを特徴とするフレキシブルケーブル。
【請求項５】
ケーブル本体に折返し部を設定し、該折返し部で折り返される少なくとも一対の配線を形成し、
前記配線に接点部を形成し、
前記接点部で接続された少なくとも一対の折返し配線を形成する、
ことを特徴とするフレキシブルケーブルの製造方法。
【請求項６】
ケーブル本体に折返し部を設定し、該折返し部で折り返されて対向する複数対の配線を形成し、
前記配線に接点部を形成し、
前記接点部で接続されて折返し前後で配線位置を異ならせた複数対の折返し配線を形成する、
ことを特徴とするフレキシブルケーブルの製造方法。
【発明の詳細な説明】
【技術分野】
【０００１】
携帯電話機などの電子機器に搭載された電子部品などの接続にフレキシブルケーブルを用いた電子機器、フレキシブルケーブルおよびその製造方法に関する。
【背景技術】
【０００２】
携帯電話機などの電子機器では、搭載される回路基板間や搭載部品間の接続にフレキシブルケーブルが用いられる。このフレキシブルケーブルは可撓性を利用し、屈曲させた配置形態を取ることができる。
【０００３】
このような可撓性を持つシート状部品をＶ字形状に折り曲げることが知られている（たとえば、特許文献１）。
【先行技術文献】
【特許文献】
【０００４】
【特許文献１】特開２００１−２８４８６号公報
【発明の概要】
【発明が解決しようとする課題】
【０００５】
ところで、フレキシブルケーブルは可撓性を有する。しかし、フレキシブルケーブルの折り曲げの際、曲率半径が小さくなると、ケーブル内の導体が断線するおそれがある。つまり、折曲げには導体に断線を生じさせない程度の半径を維持することが必要である。
【０００６】
フレキシブルケーブルの電磁波ノイズの抑制にはケーブル内にシールド導体の設置や、ケーブル表面にシールド導体のコーティング処理などが有効である。しかしながら、いずれの処理もケーブル厚を増加させる上、柔軟性を損ない、折曲げ半径を増大させるという課題がある。しかしながら、シールド導体を設置していないフレキシブルケーブルでは折曲げ半径を増加させない反面、電磁波ノイズが生じ易いという課題がある。
【０００７】
そこで、本開示の目的は、折曲げ半径に依存しない折り返し配線を可能にすることにある。
【０００８】
また、本開示の他の目的は、折り返し配線における電磁波ノイズを抑制することにある。
【課題を解決するための手段】
【０００９】
上記目的を達成するため、本開示の一側面によれば、ケーブル本体を折り返す折返し部と、該折返し部で折り返される少なくとも一対の配線に形成された接点部と、該接点部で接続された少なくとも一対の折返し配線とが提供される。
【発明の効果】
【００１０】
本開示の構成によれば、次のいずれかの効果が得られる。
【００１１】
(1) 折曲げ半径に依存しない折り返し配線が得られる。
【００１２】
(2) 折り返し配線部分の占有空間を削減でき、配線に要する空間をコンパクト化することが可能である。
【００１３】
(3) 折り返される配線の配置位置を変更できるので、電磁波ノイズを抑制することが可能である。
【００１４】
そして、本発明の他の目的、特徴および利点は、添付図面および各実施の形態を参照することにより、一層明確になるであろう。
【図面の簡単な説明】
【００１５】
【図１】第１の実施の形態に係る一部を切り欠いたフレキシブルケーブルを示す斜視図である。
【図２】フレキシブルケーブルの配線折返し部を拡大して示す図である。
【図３】図２のIIIA−IIIA線切断端面、IIIB−IIIB線切断端面およびIIIC−IIIC線切断端面を示す切断端面図である。
【図４】図２のIVA −IVA 線切断端面、IVB −IVB 線切断端面およびIVC −IVC 線切断端面を示す切断端面図である。
【図５】折返し前のフレキシブルケーブルを示す平面図である。
【図６】図５のVIA −VIA 線切断端面、VIB −VIB 線切断端面およびVIC −VIC 線切断端面を示す切断端面図である。
【図７】フレキシブルケーブルの折返し配線を示す図である。
【図８】配線パターンの形成工程を示す斜視図である。
【図９】図８に続く配線パターンの形成工程を示す斜視図である。
【図１０】絶縁フィルムの貼付け工程を示す斜視図である。
【図１１】フレキシブルケーブルの貼合せ工程を示す斜視図である。
【図１２】フレキシブルケーブルの貼合せ工程を示す斜視図である。
【図１３】フレキシブルケーブルの変形例を示す斜視図である。
【図１４】変形例に係るフレキシブルケーブルの製造工程を示す斜視図である。
【図１５】フレキシブルケーブルの他の変形例を示す斜視図である。
【図１６】図１５に示すフレキシブルケーブルの配線折返し部を拡大して示す図である。
【図１７】折返し前のフレキシブルケーブルを示す平面図である。
【図１８】フレキシブルケーブルの他の変形例を示す斜視図である。
【図１９】図１８に示すフレキシブルケーブルの配線折返し部を拡大して示す図である。
【図２０】折返し前のフレキシブルケーブルを示す平面図である。
【図２１】他の接点部の構成例を示す図である。
【図２２】フレキシブルケーブルの他の変形例を示す斜視図である。
【図２３】図２２に示すフレキシブルケーブルの配線折返し部を拡大して示す図である。
【図２４】折返し前のフレキシブルケーブルを示す平面図である。
【図２５】配線の等価長を示す図である。
【図２６】フレキシブルケーブルの他の変形例を示す図である。
【図２７】フレキシブルケーブルの他の変形例を示す図である。
【図２８】従来のフレキシブルケーブルおよび実施の形態に係るフレキシブルケーブルとの対比を示す図である。
【図２９】従来のフレキシブルケーブルおよび実施の形態に係るフレキシブルケーブルとの発生磁界の対比を示す図である。
【図３０】第２の実施の形態に係る携帯端末装置の一例を示す斜視図である。
【図３１】携帯端末装置のハードウェアの一例を示す図である。
【図３２】図３０のXXXII − XXXII線で切断した切断端面を示す図である。
【図３３】図３２のXXXIIIA部を拡大した切断端面および従来のフレキシブルケーブルを用いた場合との対比を示す図である。
【図３４】実施の形態に係るフレキシブルケーブルのシミュレーションを示す図である。
【図３５】図３４の一部を拡大して示す図である。
【図３６】従来のフレキシブルケーブルのシミュレーションを示す図である。
【図３７】従来のフレキシブルケーブルのシミュレーションを示す図である。
【図３８】実施の形態に係るフレキシブルケーブルのシミュレーションを示す図である。
【図３９】シミュレーション結果を示す図である。
【図４０】他の実施の形態に係る折返し前のフレキシブルケーブルを示す平面図である。
【図４１】他の実施の形態に係る折返し後のフレキシブルケーブルを示す斜視図である。
【発明を実施するための形態】
【００１６】
〔第１の実施の形態〕
【００１７】
図１は、第１の実施の形態に係る一部を切り欠いたフレキシブルケーブルを示している。図１に示す構成は一例であり、図１のほか各図に示す構成に本発明が限定されるものではない。
【００１８】
このフレキシブルケーブル２は、ケーブル本体４を備える。このケーブル本体４はシート状絶縁基板（以下単に「絶縁基板」と称する）４−１、４−２および折返し部４−３を備える。このケーブル本体４は、可撓性を有する単一のシート状絶縁体であり、たとえば、合成樹脂で形成されている。この実施の形態では、各絶縁基板４−１、４−２は長方形状であり、折返し部４−３で各絶縁基板４−１、４−２が連結されている。各絶縁基板４−１、４−２は、幅方向に折返し部４−３で折り返されて重ねられている。
【００１９】
絶縁基板４−１には配線パターン６−１１、６−１２、６−１３、６−１４が設置されている。配線パターン６−１１、６−１２、６−１３、６−１４は、第１の導体の一例である。絶縁基板４−２には配線パターン６−２１、６−２２、６−２３、６−２４が設置されている。配線パターン６−２１、６−２２、６−２３、６−２４は、第２の導体の一例である。各配線パターン６−１１、６−１２、６−１３、６−１４、６−２１、６−２２、６−２３、６−２４は、銅などの導電性のよい導体で形成されている。これら配線パターン６−１１、６−１２、６−１３、６−１４、６−２１、６−２２、６−２３、６−２４のそれぞれは絶縁フィルム８で被覆されている。絶縁フィルム８は絶縁層の一例である。
【００２０】
配線パターン６−１１の端部には接点部１０−１１が形成され、配線パターン６−２１の端部には接点部１０−２１が形成されている。配線パターン６−１２の端部には接点部１０−１２が形成され、配線パターン６−２２の端部には接点部１０−２２が形成されている。配線パターン６−１３の端部には接点部１０−１３が形成され、配線パターン６−２３の端部には接点部１０−２３が形成されている。また、配線パターン６−１４の端部には接点部１０−１４が形成され、配線パターン６−２４の端部には接点部１０−２４が形成されている。
【００２１】
接点部１０−１１、１０−２１間、接点部１０−１２、１０−２２間、接点部１０−１３、１０−２３間、接点部１０−１４、１０−２４間のそれぞれが個別に接続されている。これにより、折返し接続部１２が構成されている。この折返し接続部１２により、フレキシブルケーブル２には複数対の折返し配線が形成される。
【００２２】
＜フレキシブルケーブル２の断面構造＞
【００２３】
図２は、フレキシブルケーブル２の折返し接続部１２を拡大して示している。図３および図４は、図２の各部切断端面を示している。
【００２４】
図３のＡは、図２のIIIA−IIIA線に沿って切断した切断端面を示している。折返し接続部１２では、接点部１０−１１と接点部１０−２１、接点部１０−１３と接点部１０−２３、接点部１０−１４と接点部１０−２４のそれぞれが導電接着層１４により接続されている。絶縁基板４−１、４−２は絶縁接着層１６で接合されている。
【００２５】
図３のＢは、図２のIIIB−IIIB線に沿って切断した切断端面を示している。折返し接続部１２では、接点部１０−１２と接点部１０−２２、接点部１０−１３と接点部１０−２３、接点部１０−１４と接点部１０−２４のそれぞれが導電接着層１４により接続されている。絶縁基板４−１、４−２は絶縁接着層１６で接合されている。
【００２６】
図３のＣは、図２のIIIC−IIIC線に沿って切断した切断端面を示している。各配線パターン６−１１、６−１２、６−１３、６−１４および各配線パターン６−２１、６−２２、６−２３、６−２４は絶縁フィルム８で覆われているとともに、離間している。
【００２７】
図４のＡは、図２のIVA −IVA 線に沿って切断した切断端面を示している。接点部１０−１３と接点部１０−２３が導電接着層１４により接続されている。
【００２８】
図４のＢは、図２のIVB −IVB 線に沿って切断した切断端面を示している。接点部１０−１１と接点部１０−２１、接点部１０−１２と接点部１０−２２が導電接着層１４により接続されている。
【００２９】
図４のＣは、図２のIVC −IVC 線に沿って切断した切断端面を示している。接点部１０−１１と接点部１０−２１、接点部１０−１２と接点部１０−２２が導電接着層１４により接続されている。
【００３０】
＜フレキシブルケーブル２を開いた構成＞
【００３１】
図５は、フレキシブルケーブル２を開いた状態を示している。図６は、図５の各部切断端面を示している。
【００３２】
各絶縁基板４−１、４−２および折返し部４−３は、単一のケーブル本体４で構成されている。各絶縁基板４−１、４−２は、折り返し部４−３を中央にし、左右に同形状に形成されている。つまり、絶縁基板４−１、４−２は、中心線Ｏを中心に線対称である。
【００３３】
絶縁基板４−１側の配線パターン６−１１、６−１２と、絶縁基板４−２側の配線パターン６−２１、６−２２では、絶縁基板４−１、４−２の幅方向の平面位置が交互に異なっている。この実施の形態では、配線パターン６−１３、６−１４に挟まれた配線パターン６−１１、６−１２と、配線パターン６−２３、６−２４に挟まれた配線パターン６−２１、６−２２の位置が同一の対向位置になっていない。つまり、配線パターン６−１１に配線パターン６−２２が重なり、配線パターン６−１２に配線パターン６−２１が重なる配置である。
【００３４】
絶縁基板４−１の配線パターン６−１１、６−１２、６−１３、６−１４は幅Ｗ１に形成されている。各配線パターン６−１１、６−１２、６−１３、６−１４の間には絶縁間隔Ｗ２が設定されている。Ｗ２＞Ｗ１の大小関係に設定されている。同様に、配線パターン６−２１、６−２２、６−２３、６−２４は幅Ｗ１に形成されている。各配線パターン６−２１、６−２２、６−２３、６−２４の間には絶縁間隔Ｗ２が設定されている。したがって、絶縁基板４−２側もＷ２＞Ｗ１の大小関係に設定されている。つまり、各配線パターン６−１１、６−１２、６−１３、６−１４、６−２１、６−２２、６−２３、６−２４は導体幅Ｗ１を備え、隣接する配線パターン６−１１、６−１２、６−１３、６−１４の間、または６−２１、６−２２、６−２３、６−２４の間には同一幅の絶縁間隔Ｗ２が設定されている。この実施の形態では、各配線パターン６−１１、６−１２、６−１３、６−１４、各配線パターン６−２１、６−２２、６−２３、６−２４は絶縁間隔Ｗ２を備えた平行な導体線路を構成している。
【００３５】
各配線パターン６−１１、６−１２、６−１３、６−１４の端部には、接点部１０−１１、１０−１２、１０−１３、１０−１４が形成されている。同様に、各配線パターン６−２１、６−２２、６−２３、６−２４の端部には、接点部１０−２１、１０−２２、１０−２３、１０−２４が形成されている。各接点部１０−１１、１０−１２、１０−１３、１０−１４、１０−２１、１０−２２、１０−２３、１０−２４は配線パターン６−１１、６−１２、６−１３、６−１４、６−２１、６−２２、６−２３、６−２４と同様の導体部である。
【００３６】
接点部１０−１１は、配線パターン６−１１の端部から配線パターン６−１２側に向かって形成されている。接点部１０−１２は、配線パターン６−１１と配線パターン６−１２との間隔内に設置されている。この接点部１０−１２は配線パターン６−１２の端部を折り曲げて接続されている。接点部１０−１３、１０−１４は、配線パターン６−１３、６−１４の延長線上に形成されている。
【００３７】
各接点部１０−１１、１０−１２、１０−１３、１０−１４は接続のため、配線パターン６−１１、６−１２、６−１３、６−１４の幅Ｗ１より広く形成されたたとえば、長方形状の接続面を備えている。各接点部１０−１１、１０−１２、１０−１３、１０−１４は接続面を絶縁フィルム８より露出させている。
【００３８】
接点部１０−２１は、配線パターン６−２１の端部から配線パターン６−２２側に向かって形成されている。接点部１０−２２は、配線パターン６−２１と配線パターン６−２２との間隔内に設置されている。この接点部１０−２２は配線パターン６−２２の端部を折り曲げて接続されている。接点部１０−２３、１０−２４は、配線パターン６−２３、６−２４の延長線上に形成されている。
【００３９】
各接点部１０−２１、１０−２２、１０−２３、１０−２４は接続のため、配線パターン６−２１、６−２２、６−２３、６−２４の幅Ｗ１より広く形成されたたとえば、長方形状の接続面を備えている。
【００４０】
各配線パターン６−１１、６−１２、６−１３、６−１４、６−２１、６−２２、６−２３、６−２４の表面には、図６のＡに示すように、絶縁フィルム８が設置されている。これにより、各配線パターン６−１１、６−１２、６−１３、６−１４、６−２１、６−２２、６−２３、６−２４は絶縁されている。
【００４１】
各接点部１０−１１、１０−１２、１０−１３、１０−１４、１０−２１、１０−２２、１０−２３、１０−２４の接続面は、図６のＢおよびＣに示すように絶縁フィルム８より露出している。これにより、折返し部４−３の折返しにより、接点部１０−１１と接点部１０−２１、接点部１０−１２と接点部１０−２２、接点部１０−１３と接点部１０−２３、接点部１０−１４と接点部１０−２４の各接続は可能である。
【００４２】
＜フレキシブルケーブル２の折返し接続回路＞
【００４３】
図７は、フレキシブルケーブル２の折返し接続回路を示している。既述のとおり、フレキシブルケーブル２（図１）では、折返し接続された配線パターン６−１１、６−２２が絶縁基板４−１、４−２の厚さ方向に隣接している。同様に、折返し接続された配線パターン６−１２、６−２１は絶縁基板４−１、４−２の厚さ方向に隣接している。つまり、配線パターン６−１１、６−２１は絶縁基板４−１、４−２の幅方向に離間している。配線パターン６−１２、６−２２は絶縁基板４−１、４−２の幅方向に離間している。
【００４４】
＜フレキシブルケーブル２の製造方法＞
【００４５】
図８、図９、図１０、図１１および図１２は、フレキシブルケーブル２の製造方法の一例を示している。配線パターン６−１１、６−１２、６−１３、６−１４、６−２１、６−２２、６−２３、６−２４の形成工程、絶縁フィルム８の貼付け工程、フレキシブルケーブル２の貼合せ工程などは、この製造方法の一例である。
【００４６】
(1) 配線パターン６−１１、６−１２、６−１３、６−１４、６−２１、６−２２、６−２３、６−２４の形成工程
【００４７】
フレキシブルケーブル２には、図８のＡに示すように、一例として片面銅貼り板（以下単に「銅貼り板」と称する）２２が用いられている。この銅貼り板２２は、ケーブル本体４の一面に導体層６を備える。ケーブル本体４は、既述のとおり絶縁基板４−１、４−２および折返し部４−３が含まれる。この実施の形態では、銅貼り板２２が図５に示した形状に成形されている。銅貼り板２２には、成形加工前の一枚のたとえば、矩形形状の銅貼り板２２を用いてもよい。導体層６は、配線パターン６−１１、６−１２、６−１３、６−１４、６−２１、６−２２、６−２３、６−２４を形成するための導体部である。
【００４８】
配線パターン６−１１、６−１２、６−１３、６−１４、６−２１、６−２２、６−２３、６−２４の形成には、銅貼り板２２の導体層６の表面に図８のＢに示すように、フォトレジスト膜２４を形成する。このフォトレジスト膜２４の表面は図８のＣに示すように、フォトマスク２６を貼り付ける。フォトマスク２６には、配線パターン６−１１、６−１２、６−１３、６−１４、６−２１、６−２２、６−２３、６−２４および接点部１０−１１、１０−１２、１０−１３、１０−１４、１０−２１、１０−２２、１０−２３、１０−２４の形状に打ち抜いた複数の露光窓２８が形成されている。
【００４９】
各露光窓２８からフォトレジスト膜２４に図８のＤに示すように、光３０を照射する。この光３０の照射により、各露光窓２８から露出したフォトレジスト膜２４を露光させる。フォトレジスト膜２４には、配線パターン６−１１、６−１２、６−１３、６−１４、６−２１、６−２２、６−２３、６−２４および接点部１０−１１、１０−１２、１０−１３、１０−１４、１０−２１、１０−２２、１０−２３、１０−２４の形状の露光部３２が形成される。
【００５０】
フォトレジスト膜２４から図９のＡに示すように、フォトマスク２６を除去する。これにより、露光窓２８の形状に露光されている露光部３２がフォトレジスト膜２４の表面に現れる。
【００５１】
フォトマスク２６の除去の後、エッチング処理を施し、図９のＢに示すように、導体層６の表面から露光部３２以外のフォトレジスト膜２４を除去する。続いて、図９のＣに示すように、フォトレジスト膜２４の剥離処理を行う。これにより、ケーブル本体４には配線パターン６−１１、６−１２、６−１３、６−１４、６−２１、６−２２、６−２３、６−２４および接点部１０−１１、１０−１２、１０−１３、１０−１４、１０−２１、１０−２２、１０−２３、１０−２４が形成される。
【００５２】
(2) 絶縁フィルム８の貼付け工程
【００５３】
絶縁層を形成する絶縁フィルム８には、図１０のＡに示すように、接点部１０−１１、１０−１２、１０−１３、１０−１４、１０−２１、１０−２２、１０−２３、１０−２４の形状に罫書き処理を行う。打ち抜き加工により、絶縁フィルム８には図１０のＢに示すように、接点部１０−１１、１０−１２、１０−１３、１０−１４、１０−２１、１０−２２、１０−２３、１０−２４の形状を持つ露出窓３４が形成される。
【００５４】
この絶縁フィルム８は、図１０のＣに示すように、ケーブル本体４の表面に張り付けられ、露出窓３４から接点部１０−１１、１０−１２、１０−１３、１０−１４、１０−２１、１０−２２、１０−２３、１０−２４を露出させる。これにより、図５に示すフレキシブルケーブル２が形成される。
【００５５】
(3) フレキシブルケーブル２の貼合せ工程
【００５６】
図１１のＡに示すように、ケーブル本体４に張り付けられた絶縁フィルム８の表面にマスクパターン３６を装着する。このマスクパターン３６には窓部３８が形成されている。この窓部３８は、一方の接点部１０−１１、１０−１２、１０−１３、１０−１４を包囲する最小限度の面積を持つ形状を備えている。
【００５７】
図１１のＢに示すように、マスクパターン３６の上から異方性導電塗料４０が塗布される。この異方性導電塗料４０にはたとえば、フレキシブルケーブル対ガラス基板、フレキシブルケーブル対プリント基板の接合に用いられる異方性導電膜を用いればよい。この異方性導電膜では、圧着により厚み方向のみに導電性接着が得られ、非圧着の部分では絶縁性接着が得られる。
【００５８】
窓部３８を通過した異方性導電塗料４０で接点部１０−１１、１０−１２、１０−１３、１０−１４が被覆される。図１１のＣに示すように、マスクパターン３６を剥離すると、異方性導電塗料４０が残留する。この異方性導電塗料４０を乾燥させる。
【００５９】
絶縁基板４−１と絶縁基板４−２とは図１２のＡに示すように、折返し部４−３を中心にして折返される。これにより、接点部１０−１１、１０−１２、１０−１３、１０−１４上に異方性導電塗料４０を挟んで接点部１０−２１、１０−２２、１０−２３、１０−２４が重ねられる。
【００６０】
異方性導電塗料４０を挟む絶縁基板４−１、４−２間に図１２のＢに矢印で示すように熱圧着を行えば、折返し接続部１２（図１）が形成され、この折返し接続部１２で接続されたフレキシブルケーブル２が得られる。この場合、異方性導電塗料４０により、接点部１０−１１、１０−１２、１０−１３、１０−１４、１０−２１、１０−２２、１０−２３、１０−２４側で導電接着層１４が形成され、その他の部分は絶縁接着層１６が形成される。
【００６１】
＜折返し部４−３を切除した形態＞
【００６２】
フレキシブルケーブル２は図１３に示すように、折返し部４−３を切除した形態としてもよい。
【００６３】
銅貼り板２２では、図８のＡに示すように、既述の絶縁基板４−１、４−２および折返し部４−３の形状に成形してもよいが、図１４のＡに示すように、単純な矩形形状の銅貼り板２２を用いてもよい。
【００６４】
この場合、図８のＡ、Ｂ、ＣおよびＤ、図９のＡ、ＢおよびＣ、図１０のＡ、ＢおよびＣ、図１１のＡ、ＢおよびＣ、図１２のＡの各処理を経た銅貼り板２２を図１４のＡに示すように折返し部４−３を中心にして折返す。これにより、接点部１０−１１、１０−１２、１０−１３、１０−１４上に異方性導電塗料４０を挟んで接点部１０−２１、１０−２２、１０−２３、１０−２４が重ねられる。
【００６５】
異方性導電塗料４０を挟む絶縁基板４−１、４−２間に図１４のＢに矢印で示すように熱圧着を行えば、折返し接続部１２では異方性導電塗料４０により、接点部１０−１１、１０−１２、１０−１３、１０−１４、１０−２１、１０−２２、１０−２３、１０−２４側が導電接着層１４で接続される。その他の部分は絶縁接着層１６により接着される。そして、このフレキシブルケーブル２（図１４のＣ）では、フレキシブルケーブル２の長手方向に幅の広い折返し部４−３が形成されている。
【００６６】
このフレキシブルケーブル２（図１４のＣ）では、折返し部４−３を破線で示す位置で断裁すれば、図１３に示すように、折返し部４−３のないフレキシブルケーブル２が得られる。
【００６７】
＜接点部１０−１１、１０−１２、１０−２１、１０−２２の配置＞
【００６８】
図１に示すフレキシブルケーブル２では、接点部１０−１１、１０−１２が配線パターン６−１１と配線パターン６−１２の間隔内に形成されている。同様に接点部１０−２１、１０−２２は配線パターン６−２１と配線パターン６−２２の間隔内に形成されている。斯かる構成では、配線パターン６−１１と配線パターン６−２２、配線パターン６−１２と配線パターン６−２１がフレキシブルケーブル２の厚み方向の同位置に配置されている。つまり、クロス配置が形成されている。
【００６９】
これに対し、図１５に示すように、接点部１０−１１、１０−１２、１０−２１、１０−２２を配置してもよい。つまり、配線パターン６−１１、６−１２、６−２１、６−２２の延長線上に形成されている。斯かる構成では、図１６に示すように、配線パターン６−１１、６−１２、６−２１、６−２２を配置したフレキシブルケーブル２を形成することができる。この場合、図１７に示すように、配線パターン６−１１と配線パターン６−２２、配線パターン６−１２と配線パターン６−２１がフレキシブルケーブル２の厚み方向の同位置に配置される。
【００７０】
＜フレキシブルケーブル２の折畳み位置のずれ防止＞
【００７１】
フレキシブルケーブル２の折畳み接続のずれを防止するには、接合されるたとえば、接点部１０−１４、１０−２４の位置が合致すればよい。この場合、折返し部４−３でずれ防止の機能を果たすことができる。
【００７２】
接点部１０−１４、１０−２４の位置を合致させるにはたとえば、図１８に示すように、接点部１０−１４を円形、ドーナツ形状（鳩目状）に形成する。これに対し、接点部１０−２４は、接点部１０−１４と中心位置が合致する円形とすればよい。斯かる構成とすれば、図１９および図２０に示すように、接点部１０−１４、１０−２４間の中心を形状合せにより合致させてフレキシブルケーブル２を折り畳むことができ、折り畳み位置のずれを防止できる。
【００７３】
この場合、接点部１０−１４は、図２１のＡに示すように、接点部１０−２４と同一中心で円形の透孔部４２を備えた環状部４４で形成する。これに対し、接点部１０−２４は環状部４４と同一中心で透孔部４２より小径の円形部４６に形成する。斯かる構成では、この環状部４４の中心に接点部１０−２４の円形部４６を合致させれば、自動的に位置合わせ（セルフアライメント）を行え、フレキシブルケーブル２の折畳み接続のずれを防止できる。
【００７４】
接点部１０−１４の環状部４４の透孔部４２には配線パターン６−１４がなく、接点部１０−２４の円形部４６は、透孔部４２より小さく形成すればよい。つまり、透孔部４２の直径Ｒ１より円形部４６の直径Ｒ２を小さく（Ｒ１＞Ｒ２）形成する。透孔部４２および円形部４６の各中心Ｐを合致させれば、接点部１０−１４、１０−２４の非接触化、配線パターン６−１４、６−２４の非導通化が図られる。
【００７５】
斯かる構成では、フレキシブルケーブル２の貼り合わせた位置のずれが一定値以上になると、接点部１０−１４、１０−２４が重なって接触し、導通する。このような導通状態の有無は、貼り付けに一定値以上のずれがあるか否かを示す。斯かる構成では、接点部１０−１４、１０−２４間の導通の有無を電気的に判定すれば、接点部１０−１４、１０−２４から貼り付けずれの検査が容易に行える。つまり、貼り付けずれの検出や判定に画像認識装置などの設備を必要とせずに、導通検査のみでずれを発見、判定することが可能である。
【００７６】
また、斯かる構成では、折り畳みのずれ位置を折返し部４−３から最も遠い接点部１０−１４、１０−２４間で検出している。つまり、折り曲げの中心線Ｏから最も遠い位置であるため、貼りずれが最も大きくなる位置で位置ずれを検出でき、検出精度が高められる。
【００７７】
この場合、接点部１０−１４と接点部１０−２４のずれ幅は、他の接点部や配線パターンなどのと誤接続する幅より小さい。このため、フレキシブルケーブル２を製造する工程では、接点部１０−１４、１０−２４間、配線パターン６−１４、６−２４間の導通の有無を監視すればよい。この監視により、導通の有無から折り畳みの位置ずれを高度に判断できるとともに、他の配線パターンの誤接続や誤接触を防止でき、接続精度が保障される。
【００７８】
＜配線パターンの等長配線化＞
【００７９】
フレキシブルケーブル２には、一対の配線パターンたとえば、配線パターン６−１１、６−２１を互いに反対の極性を持つ差動信号の伝送線路に用いることができる。差動信号の伝送線路は、各線路長が同一長であることが必要である。
【００８０】
斯かる要請に対し、図２２に示すフレキシブルケーブル２では配線パターン６−１１、６−１２、６−２１、６−２２を同一の線路長に形成することができる。図２３は、フレキシブルケーブル２の折返し接続部１２を拡大して示している。図２４は、フレキシブルケーブル２の折返し前（開状態）を示している。
【００８１】
この例では、各接点部１０−１１、１０−２１はたとえば、八角形でフレキシブルケーブル２の厚さ方向の同位置に設定されている。同様に、各接点部１０−１２、１０−２２もたとえば、八角形でフレキシブルケーブル２の厚さ方向の同位置に設定されている。各接点部１０−１１、１０−１２、１０−２１、１０−２２は、配線パターン６−１１、６−１２間（６−２１、６−２２間）に配置されている。
【００８２】
各配線パターン６−１１、６−１２、６−２１、６−２２は、図２５に示すように、直線導体部４８とともに、傾斜導体部５０−１または傾斜導体部５０−２を備えている。傾斜導体部５０−１は、配線パターン６−１１と配線パターン６−１２の間にある接点部１０−１１、または配線パターン６−２１と配線パターン６−２２の間にある接点部１０−２１に接続されている。傾斜導体部５０−２は、配線パターン６−１１および配線パターン６−１２の外側にある接点部１０−１２、または配線パターン６−２１と配線パターン６−２２の外側にある接点部１０−２２に接続されている。そして、各直線導体部４８は長さＬ１であり、同一長に設定されている。各傾斜導体部５０−１、５０−２は長さＬ２であり、同一長に設定されている。
【００８３】
このように、配線パターン６−１１、６−１２、６−２１、６−２２が等長化されたフレキシブルケーブル２によれば、通過信号に対して同一の線路長を持つ信号線路を構成できる。差動信号を通す場合、このフレキシブルケーブル２では必要な等長線路を構成でき、一対配線の等長化が可能になっている。
【００８４】
＜配線パターンの変形例＞
【００８５】
図２６のＡはフレキシブルケーブル２の折返し対向面側を示している。絶縁基板４−１側には配線パターン６−１１、６−１２、６−１３、６−１４が形成されている。絶縁基板４−２側には配線パターン６−２１、６−２２、６−２３、６−２４が形成されている。このフレキシブルケーブル２では、図２６のＢに示すように、絶縁基板４−１、４−２および折返し部４−３を含むケーブル本体４の背面側にシールド導体５２が設置されている。このシールド導体５２は、配線パターン６−１１、６−１２、６−１３、６−１４、６−２１、６−２２、６−２３、６−２４を覆う形状および面積を備えている。
【００８６】
斯かる構成では、フレキシブルケーブル２の配線パターン６−１１、６−１２、６−１３、６−１４、６−２１、６−２２、６−２３、６−２４がシールド導体５２で覆われる。これにより、外部の電磁界の影響や、電磁界の放射が抑制される。
【００８７】
図１に示すフレキシブルケーブル２では、配線パターン６−１３、６−１４、６−２３、６−２４を独立させて接続する構成としている。これに対し、図２７に示すように、配線パターン６−１３、６−２３間、配線パターン６−１４、６−２４間をパターン導体５４、５６で共通に接続した構成としてもよい。この場合、パターン導体５４は配線パターン６−１３、６−２３の端部を延長し、折返し部４−３を通過させている。パターン導体５６は配線パターン６−１４、６−２４の端部を延長してパターン導体５４に平行に配置し、折返し部４−３を通過させている。
【００８８】
＜比較例＞
【００８９】
図２８のＡは、比較例に係るフレキシブルケーブル２００を示している。このフレキシブルケーブル２００では、絶縁基板からなるケーブル本体２０４の表面に平行に複数の配線パターン２０６が形成されている。このフレキシブルケーブル２００のケーブル本体２０４を図２８のＢに示すように折り曲げれば、配線パターン２０６の隣接箇所の設置部材間を接続することができる。
【００９０】
このようなフレキシブルケーブル２００では、中心線Ｏを中心に折り曲げた際、曲率半径が小さくなると、ケーブル内の配線パターン２０６が断線するおそれがある。このような不都合を回避するには、配線パターン２０６が損傷を受けない程度の曲率半径以上に維持する必要がある。つまり、設置空間が必要であり、フレキシブルケーブル２００には占有体積を考慮する必要がある。
【００９１】
図２８のＢには、図１に示すフレキシブルケーブル２を破線で示している。フレキシブルケーブル２では、フレキシブルケーブル２００のように曲率を伴う折り曲げ状態にはならない。係る構成では、フレキシブルケーブル２の厚さは各絶縁基板４−１、４−２程度の厚さとなり、設置空間は小さく、その占有体積も小さい。また、フレキシブルケーブル２００のように、折り曲げに曲率を考慮することなく、折り曲げによる配線パターン６を断線させることもない。
【００９２】
＜磁界の発生態様＞
【００９３】
図２９のＡは横方向に隣接する配線パターン２０６（図２８）による磁界の発生を示している。配線パターン２０６に電流が流れると、配線パターン２０６間の間隔ｔ１内に磁界φ１が発生する。これに対し、フレキシブルケーブル２（図１）では、たとえば、配線パターン６−１１、６−２２ではフレキシブルケーブル２の厚み方向に重ねられて密着し、配線パターン６−１１、６−２２の厚み方向の間隔ｔ２は既述の間隔ｔ１より狭い。このため、発生する磁界φ２は磁界φ１より小さくなる。つまり、フレキシブルケーブル２から生じる磁界が小さくなり、無線通信における電磁波に対するノイズレベルが小さくなる。
【００９４】
＜第１の実施の形態の効果＞
【００９５】
(1)  携帯通信端末装置などの電子機器の配線部材として用いることができる。たとえば、フレキシブルケーブル２の引き出し方向と、コネクタ挿入方向が１８０度の角度を以て折り返えされる接続構造が容易に得られる。つまり、このフレキシブルケーブル２では、折り曲げる形態ではなく、従前の曲げ位置で接続された折り返し構造を実現することができる。既述のとおり、折返し接続部１２では、内側に配線パターン毎に接点部を備えており、接点部によって折返し接続により配線接続が可能である。
【００９６】
(2) 基板折り返しにより接続される絶縁基板４−１側の配線パターン６−１１、６−１２、６−１３、６−１４と絶縁基板４−２側の配線パターン６−２１、６−２２、６−２３、６−２４の各配置を任意に設定できる。また、接点部１０−１１、１０−１２、１０−１３、１０−１４と接点部１０−２１、１０−２２、１０−２３、１０−２４の形態や配置も任意に設定できる。これにより、配線パターンの電気的な配置関係を任意に設定できる。
【００９７】
(3) 従来のフレキシブルケーブルのように、折れ曲がり半径を考慮することなく、折返し配線を行うことができる。
【００９８】
(4) フレキシブルケーブル２の多層化が可能である。
【００９９】
(5) フレキシブルケーブル２に配置された配線パターンを別の配線で上下を挟み込むなどの配線構造に用いることができる。
【０１００】
(6) 配線パターンまたは接点部の配置により電磁波ノイズを抑制することが可能である。
【０１０１】
(7) フレキシブルケーブル２では、折返し配線に曲率半径や、従前の曲げに伴う設置空間を考慮する必要がなく、配線の自由度が拡大される。
【０１０２】
〔第２の実施の形態〕
【０１０３】
図３０は、第２の実施の形態に係る携帯端末装置を示している。図３０に示す構成は一例であり、図３０のほか各図に示す構成に本発明が限定されるものではない。
【０１０４】
携帯端末装置６０は、本開示の電子機器の一例である。この携帯端末装置６０には筐体６２の前面に表示装置６４の表示部６６が備えられている。表示装置６４はたとえば、液晶表示装置である。この表示装置６４は、筐体６２の面積および体積の占める割合が大きい。
【０１０５】
図３１は携帯端末装置６０のハードウェアを示している。この携帯端末装置６０には、表示装置６４、制御基板６８が備えられている。制御基板６８には無線部７０が搭載され、無線部７０は無線通信に用いられるアンテナ７２を備えている。制御基板６８にはフレキシブルケーブル２の一端がコネクタ７４により接続されている。このフレキシブルケーブル２の他端にはコネクタ７６により表示装置６４が接続されている。フレキシブルケーブル２は信号や給電のために用いられ、このフレキシブルケーブル２は既述の構成（第１の実施の形態の構成）により多数の配線パターンを備えている。つまり、このフレキシブルケーブル２には複数の信号配線７８−１、７８−２や電源配線８０が備えられている。
【０１０６】
表示装置６４に接続されたフレキシブルケーブル２では、表示装置６４が液晶表示装置であれば、データを送るデータバスが含まれる。フレキシブルケーブル２で伝送される信号には、データバスの信号を同期させるための同期信号や、表示装置６４内のデジタル回路を動作させるためのクロック信号などが含まれる。
【０１０７】
図３２は図３０のXXXII −XXXII 線部分の切断端面を示している。図３３のＡは図３２のXXXIIIA部を拡大して示している。図３３のＢは従前のフレキシブルケーブル２００を用いた場合を示している。
【０１０８】
制御基板６８は表示装置６４の背面側に設置されている。アンテナ７２は、一定の通信特性を維持するため、制御基板６８の外側に配置されている。表示装置６４が筐体６２内に占める割合が大きく、フレキシブルケーブル２は制御基板６８の周辺部に配置することとなる。このため、フレキシブルケーブル２はアンテナ７２の近接位置に配置される。
【０１０９】
フレキシブルケーブル２の信号配線７８−１、７８−２は、表示装置６４を動作させるための信号伝送に用いられる。この伝送信号には数百メガヘルツ（ＭＨｚ）の信号も含まれる。電源配線８０は直流電圧の供給に用いられる。この電源配線８０には、制御基板６８側で発生するノイズが重畳される。このノイズにはさまざまな周波数成分が含まれている。
【０１１０】
このような信号伝送や、ノイズが重畳した給電に用いられるフレキシブルケーブル２に接近してアンテナ７２が配置されている場合には、フレキシブルケーブル２からノイズがアンテナ７２に入り込むおそれがある。アンテナ７２に入り込むノイズのレベルが大きい場合には、無線通信の品質が損なわれる。また、フレキシブルケーブル２を伝送するデータバスの信号を同期させるための同期信号やクロック信号などは、無線通信を妨害するノイズになり得る。
【０１１１】
フレキシブルケーブル２に従前のフレキシブルケーブル２００（図２８）を用いた場合には、図３３のＢに示すように、フレキシブルケーブル２００を湾曲させ、Ｕターンさせることにより配置することが必要となる。このような湾曲配置では、信号伝送や電源供給によるノイズによる電磁界の影響が大きくなる。これに対し、フレキシブルケーブル２では、図３３のＡに示すように、折返し部４−３が偏平であり、従前のフレキシブルケーブル２００のような湾曲配置とはならない。つまり、ノイズの周波数成分による電磁界の影響を軽減することができる。
【０１１２】
〔フレキシブルケーブル２、２００の電磁界シミュレーション〕
【０１１３】
図３４は、電磁界シミュレータに算出させたフレキシブルケーブル２のモデルを示している。フレキシブルケーブル２は制御基板６８に接続されている。制御基板６８にはアンテナ７２が接続されている。
【０１１４】
図３５は、図３４を部分的に拡大して示している。制御基板６８とフレキシブルケーブル２に給電点８２が設定されている。給電点８２は信号源を構成する。アンテナ７２と制御基板６８との間には給電点８４が設定されている。この給電点８４も信号源である。電磁界シミュレーションでは給電点８２と給電点８４とのアイソレーション（信号の伝わりにくさ）を求めた。
【０１１５】
図３６は、従来のフレキシブルケーブル２００の折返し部８６の折り曲げ形状を模擬したモデルを示している。配線パターン２０６−１、２０６−２の折り曲げによる湾曲部は、台形形状の膨らみ形状に模擬している。
【０１１６】
図３７は、従来のフレキシブルケーブル２００の折返し部８６を折り畳み、折返し部８６に膨らみを持たないモデルを想定している。
【０１１７】
これに対し、図３８は、第１の実施の形態に係るフレキシブルケーブル２のモデルを示している。このモデルでは、配線パターン６−１１０と配線パターン６−２４０が繋がり、配線パターン６−１２０と配線パターン６−２３０が繋がっている。配線パターン６−１１０と配線パターン６−２３０、配線パターン６−１２０と配線パターン６−２４０が重なる構造となっている。
【０１１８】
図３９は、各モデル（図３４、図３５、図３６、図３７および図３８）のシミュレーション結果を示している。
【０１１９】
図３９において、Ｘ軸は周波数〔ＧＨｚ〕、Ｙ軸はアイソレーション〔ｄＢ〕を表している。９０−１は、従来モデル（図３６）のアイソレーションデータを示している。９０−２は、従来モデル（図３７）のアイソレーションのデータを示している。９０−３は、既述のフレキシブルケーブル２のモデル（図３８）のアイソレーションのデータを示している。この図３９では、Ｙ軸上のレベルが下側にあるほど給電点８２から給電点８４に入る信号のレベルが小さいことを示している。
【０１２０】
各データ９０−１、９０−３には極大Ｐ１、Ｐ２を呈する周波数が存在する。データ９０−３には他のデータ９０−１、９０−２より大きいレベルとなっている周波数領域が存在する。周波数全域について見ると、極大Ｐ１、Ｐ２の周波数以外では、データ９０−３が他のデータ９０−１、９０−２より低レベルとなっている。
【０１２１】
本シミュレーションで示した給電点８２である信号源はフレキシブルケーブル２またはフレキシブルケーブル２００のノイズ発生源と見做すことができ、給電点８４に入るノイズが無線通信に妨害を与える。
【０１２２】
このように、これらのデータ９０−１、９０−２、９０−３の比較から明らかなように、フレキシブルケーブル２から生じたノイズはフレキシブルケーブル２００に比較し、アンテナ７２に入るレベルが小さくなっている。
【０１２３】
携帯端末装置６０ではアンテナ７２にフレキシブルケーブル２から電磁波ノイズが入ることが通信障害を引き起こす。携帯端末装置６０に設置されるアンテナ７２のインピーダンスが大きい場合には、電界ノイズの影響を受け易い。このため、フレキシブルケーブル２の電界強度を小さくすることが必要である。既述の電磁界シミュレーションから明らかなように、本実施の形態に係るフレキシブルケーブル２の電界強度は小さく、フレキシブルケーブル２がアンテナ７２に隣接しても、アンテナ７２に入る電磁波ノイズを抑制することができる。良好な無線通信を得ることが可能である。
【０１２４】
〔他の実施の形態〕
【０１２５】
(1) ケーブル本体４の形態および配線パターン６−１１、６−１２、６−１３、６−１４、６−２１、６−２２、６−２３、６−２４の配置
【０１２６】
図４０に示すように、フレキシブルケーブル２では帯状（長方形状）のケーブル本体４を形成し、このケーブル本体４の長手方向に第１の絶縁基板４−１および第２の絶縁基板４−２を設定する。これら絶縁基板４−１、４−２の中間に折返し部４−３が設定され、この折返し部４−３に中心線Ｏが設定されている。絶縁基板４−１に既述の配線パターン６−１１、６−１２、６−１３、６−１４、絶縁基板４−２に既述の配線パターン６−２１、６−２２、６−２３、６−２４を設定してもよい。ケーブル本体４の長手方向に折り曲げてフレキシブルケーブル２を形成してもよい。斯かる構成とすれば、図４１に示すように、中心線Ｏを中心に折り曲げることにより、第１の実施の形態と同様のフレキシブルケーブル２を形成することができる。この場合、折返し部４−３には配線パターンが存在していないので、折り曲げで偏平化しても配線パターンが損傷するといった不都合はない。その他の構成は第１の実施の形態と同様であるので、第１の実施の形態と同様の符号を付し、その説明を割愛する。
【０１２７】
(2) 上記実施の形態では電子機器の一例として携帯端末装置６０を例示している。本開示の電子機器には、既述の携帯端末装置６０のほか、スマートフォン、タブレット端末、電子ゲーム機、電子カメラなどの各種の機器が含まれる。
【０１２８】
(3) 上記実施の形態では、液晶パネルと基板を接続するフレキシブルケーブル２を例示しているが、これに限定されない。本開示のフレキシブルケーブル２は、基板間、電子部品間などの折返し配線が必要な接続形態に幅広く利用することができる。
【０１２９】
以上説明したように、電子機器、フレキシブルケーブルおよびその製造方法の最も好ましい実施の形態等について説明した。本発明は、上記記載に限定されるものではない。特許請求の範囲に記載され、又は発明を実施するための形態に開示された発明の要旨に基づき、当業者において様々な変形や変更が可能である。斯かる変形や変更が、本発明の範囲に含まれることは言うまでもない。
【符号の説明】
【０１３０】
２  フレキシブルケーブル
４  ケーブル本体
４−１、４−２  シート状絶縁基板
４−３  折返し部
６  導体層
６−１１、６−１２、６−１３、６−１４、６−２１、６−２２、６−２３、６−２４、６−１１０、６−１２０、６−２３０、６−２４０  配線パターン
８  絶縁フィルム
１０−１１、１０−１２、１０−１３、１０−１４、１０−２１、１０−２２、１０−２３、１０−２４  接点部
１２  折返し接続部
１４  導電接着層
１６  絶縁接着層
２２  片面銅貼り板
２４  フォトレジスト膜
２６  フォトマスク
２８  露光窓
３０  光
３２  露光部
３４  露出窓
３６  マスクパターン
３８  窓部
４０  異方性導電塗料
４２  透孔部
４４  環状部
４６  円形部
４８  直線導体部
５０−１、５０−２  傾斜導体部
５２  シールド導体
５４  パターン導体
５６  パターン導体
６０  携帯端末装置
６２  筐体
６４  表示装置
６６  表示部
６８  制御基板
７０  無線部
７２  アンテナ
７４  コネクタ
７６  コネクタ
７８−１、７８−２  信号配線
８０  電源配線
８２  給電点
８４  給電点
８６  折返し部
９０−１  データ
９０−２  データ
９０−３  データ
２００  フレキシブルケーブル
２０４  ケーブル本体
２０６、２０６−１、２０６−２  配線パターン
【図１】
2014110112.tif 000003
【図２】
2014110112.tif 000004
【図３】
2014110112.tif 000005
【図４】
2014110112.tif 000006
【図５】
2014110112.tif 000007
【図６】
2014110112.tif 000008
【図７】
2014110112.tif 000009
【図８】
2014110112.tif 000010
【図９】
2014110112.tif 000011
【図１０】
2014110112.tif 000012
【図１１】
2014110112.tif 000013
【図１２】
2014110112.tif 000014
【図１３】
2014110112.tif 000015
【図１４】
2014110112.tif 000016
【図１５】
2014110112.tif 000017
【図１６】
2014110112.tif 000018
【図１７】
2014110112.tif 000019
【図１８】
2014110112.tif 000020
【図１９】
2014110112.tif 000021
【図２０】
2014110112.tif 000022
【図２１】
2014110112.tif 000023
【図２２】
2014110112.tif 000024
【図２３】
2014110112.tif 000025
【図２４】
2014110112.tif 000026
【図２５】
2014110112.tif 000027
【図２６】
2014110112.tif 000028
【図２７】
2014110112.tif 000029
【図２８】
2014110112.tif 000030
【図２９】
2014110112.tif 000031
【図３０】
2014110112.tif 000032
【図３１】
2014110112.tif 000033
【図３２】
2014110112.tif 000034
【図３３】
2014110112.tif 000035
【図３４】
2014110112.tif 000036
【図３５】
2014110112.tif 000037
【図３６】
2014110112.tif 000038
【図３７】
2014110112.tif 000039
【図３８】
2014110112.tif 000040
【図３９】
2014110112.tif 000041
【図４０】
2014110112.tif 000042
【図４１】
2014110112.tif 000043